【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
電圧を発生させる方法において、
電源電圧ＶＣＣを出力するステップと、
個々のクロックサイクルを有するクロック信号を出力するステップと、
ＶＣＣにＶＣＣを加算して、２* ＶＣＣにほぼ等しい第１の電圧信号を発生させるステ
ップと、
前記第１の電圧信号にＶＣＣを加算して、３* ＶＣＣにほぼ等しい第２の電圧信号を発
生させるステップと、
前記第２の電圧信号を２倍にして、クロックサイクルに応答して６* ＶＣＣにほぼ等し
い第３の電圧信号を発生させるステップと、
を有する電圧を発生させる方法。
【請求項２】
前記第３の電圧信号を２倍して、クロックサイクルに応答して１２* ＶＣＣにほぼ等し
い第４の電圧信号を発生させるステップをさらに有する請求項１記載の方法。
【請求項３】
電荷ポンプにおいて、
入力電圧信号ＶＣＣを受け取る第１の電圧加算器段であって、前記第１の電圧加算器段
は、第１および第２の位相を有するクロック信号に応答して第１および第２の電圧信号を
出力するように動作することができ、前記第１の電圧信号は、前記クロック信号の第１の
位相中の２* ＶＣＣと前記クロック信号の第２の位相中のＶＣＣにほぼ等しく、前記第２
の電圧信号は、前記第１の電圧信号を相補する第１の電圧加算器段と、
前記入力電圧信号ＶＣＣと前記第１および第２の電圧信号を受け取る第２の電圧加算器
段であって、前記第２の電圧加算器段は、前記クロック信号に応答して第３および第４の
電圧信号を出力するように動作することができ、前記第３の電圧信号は、前記クロック信
号の第１の位相中の３* ＶＣＣと前記クロック信号の第２の位相中のＶＣＣにほぼ等しく
、前記第４の電圧信号は、前記第３の電圧信号を相補する第２の電圧加算器段と、
を備える電荷ポンプ。
【請求項４】
１以上の電圧加算器段であって、Ｎ番目（整数Ｎ＞２）の電圧加算器段は、前記入力電
圧信号ＶＣＣおよび（２* Ｎ−３）番目と（２* Ｎ−２）番目の電圧信号を受け取り、前
記クロック信号に応答して（２* Ｎ−１）番目と（２* Ｎ）番目の電圧信号を出力するよ
うに動作することができ、前記（２* Ｎ−１）番目の電圧信号は、前記クロック信号の第
１の位相中の（Ｎ＋１）* ＶＣＣと前記クロック信号の第２の位相中のＶＣＣにほぼ等し
く、前記（２* Ｎ）番目の電圧信号は、前記（２* Ｎ−１）番目の電圧信号を相補する１
以上の電圧加算器段をさらに備える請求項３記載の電荷ポンプ。
【請求項５】
複数の倍電圧器段であって、前記複数の倍電圧器段のうちの第１の倍電圧器段は、前記
第３および第４の電圧信号を受け取り、前記複数の倍電圧器段のうちの第２の倍電圧器段
へ第５および第６の電圧信号を出力するなどであり、Ｋ番目（整数Ｋ＞０）の倍電圧器段
は、前記（２* Ｋ＋１）番目および前記（２* Ｋ＋２）番目の電圧信号を受け取り、前記
Ｋ番目の倍電圧器段は、前記クロック信号に応答して前記（２* Ｋ＋３）番目および前記
（２* Ｋ＋４）番目の電圧信号を出力するように動作することができ、前記（２* Ｋ＋３
）番目の電圧信号は、前記クロック信号の第１の位相中の３* ２K*ＶＣＣと前記クロック
信号の第２の位相中の３* ２(K-1)*ＶＣＣにほぼ等しく、前記（２* Ｋ＋４）番目の電圧
信号は、前記（２* Ｋ＋３）番目の電圧信号を相補する複数の倍電圧器段をさらに備える
請求項３記載の電荷ポンプ。
【請求項６】
前記第１の電圧加算器段は、第１のコンデンサを備え、前記電荷ポンプは、前記クロッ
ク信号に応答して前記クロック信号の第２の位相中の入力電圧信号ＶＣＣと並列の第１の
コンデンサを充電し、前記充電された第１のコンデンサを前記クロック信号の第１の位相
中の入力電圧信号ＶＣＣと直列に結合するように構成されることによって、前記第１のコ
ンデンサが、前記第１の電圧信号を出力することができる請求項３記載の電荷ポンプ。
【請求項７】
前記第１の電圧加算器段が、第２のコンデンサを備え、前記電荷ポンプは、前記クロッ
ク信号に応答して前記クロック信号の第１の位相中の入力電圧信号ＶＣＣと並列の第２の
コンデンサを充電し、前記充電された第２のコンデンサを前記クロック信号の第２の位相
中の入力電圧信号ＶＣＣと直列に結合するように構成されることによって、前記第２のコ
ンデンサが、前記第２の電圧信号を出力することができる請求項６記載の電荷ポンプ。
【請求項８】
前記第２の電圧加算器段が、第３のコンデンサを備え、前記電荷ポンプは、前記クロッ
ク信号に応答して前記クロック信号の第２の位相中の入力電圧信号ＶＣＣと並列の第３の
コンデンサを充電し、前記充電された第３のコンデンサを前記クロック信号の第１の位相
中の第１の電圧信号と直列に結合するように構成されることによって、前記第３のコンデ
ンサが、前記第３の電圧信号を出力することができる請求項７記載の電荷ポンプ。
【請求項９】
前記第２の電圧加算器段が、第４のコンデンサを備え、前記電荷ポンプは、前記クロッ
ク信号に応答して前記クロック信号の第１の位相中の入力電圧信号ＶＣＣと並列の第４の
コンデンサを充電し、前記充電された第４のコンデンサを前記クロック信号の第２の位相
中の第２の電圧信号と直列に結合するように構成されることによって、前記第４のコンデ
ンサが、前記第４の電圧信号を出力することができる請求項８記載の電荷ポンプ。
【請求項１０】
入力電圧信号ＶＣＣから電圧信号を発生させる方法において、
クロック信号を出力するステップと、
前記クロック信号に応答して前記入力電圧信号ＶＣＣを加算して、前記クロック信号の
第１の位相中の２* ＶＣＣと前記クロック信号の第２の位相中のＶＣＣにほぼ等しい第１
の電圧信号を発生させるステップと、
前記クロック信号に応答して前記第１の電圧信号に前記入力電圧信号ＶＣＣを加算して
、前記クロック信号の第１の位相中の３* ＶＣＣと前記クロック信号の第２の位相中のＶ
ＣＣにほぼ等しい第２の電圧信号を発生させるステップと、
を有する入力電圧信号ＶＣＣから電圧信号を発生させる方法。
【請求項１１】
前記クロック信号に応答して前記第２の電圧信号を２倍にして、前記クロック信号の第
１の位相中の６* ＶＣＣと前記クロック信号の第２の位相中の３* ＶＣＣにほぼ等しい第
３の電圧信号を発生させるステップをさらに有する請求項１０記載の方法。
【請求項１２】
前記クロック信号に応答して前記第３の電圧信号を２倍にして、前記クロック信号の第
１の位相中の１２* ＶＣＣと前記クロック信号の第２の位相中の６* ＶＣＣにほぼ等しい
第４の電圧信号を発生させるステップをさらに有する請求項１１記載の方法。
【請求項１３】
前記クロック信号に応答して前記入力電圧信号ＶＣＣを加算して、前記クロック信号の
第２の位相中の２* ＶＣＣと前記クロック信号の第１の位相中のＶＣＣにほぼ等しい第５
の電圧信号を発生させるステップと、
前記クロック信号に応答して前記第５の電圧信号に前記入力電圧信号ＶＣＣを加算して
、前記クロック信号の第２の位相中の３* ＶＣＣと前記クロック信号の第１の位相中のＶ
ＣＣにほぼ等しい第６の電圧信号を発生させるステップと、
をさらに有する請求項１２記載の方法。
【請求項１４】
前記クロック信号に応答して前記第６の電圧信号を２倍にして、前記クロック信号の第
２の位相中の６* ＶＣＣと前記クロック信号の第１の位相中の３* ＶＣＣにほぼ等しい第
７の電圧信号を発生させるステップをさらに有する請求項１３記載の方法。
【請求項１５】
前記クロック信号に応答して前記第７の電圧信号を２倍にして、前記クロック信号の第
２の位相中の１２* ＶＣＣと前記クロック信号の第１の位相中の６* ＶＣＣにほぼ等しい
第８の電圧信号を発生させるステップをさらに有する請求項１４記載の方法。
【請求項１６】
電荷ポンプにおいて、
第１のコンデンサと、
入力電圧信号ＶＣＣまで前記第１のコンデンサを連続的に充電し、前記充電されたコン
デンサを前記入力電圧信号ＶＣＣと直列化し、それによって前記第１のコンデンサがＶＣ
Ｃと２* ＶＣＣとの間で実質的に交番する第１の電圧信号を出力する第１の手段と、
第２のコンデンサと、
前記第１の電圧信号が２* ＶＣＣに等しいとき、前記第１の電圧信号を用いて前記第２
のコンデンサを２* ＶＣＣまで連続的に充電し、前記充電された第２のコンデンサを前記
入力電圧信号ＶＣＣと直列化し、それによって前記第２のコンデンサが３* ＶＣＣとＶＣ
Ｃとの間で実質的に交番する第２の電圧信号を出力する第２の手段と、
を備える電荷ポンプ。
【請求項１７】
前記第１の手段が前記クロック信号に応答することによって、前記第１の電圧信号が前
記クロック信号の第１の位相中の２* ＶＣＣと前記クロック信号の第２の位相中のＶＣＣ
にほぼ等しい請求項１６記載の電荷ポンプ。
【請求項１８】
前記第２の手段が前記クロック信号に応答することによって、前記第２の電圧信号が前
記クロック信号の第１の位相中の３* ＶＣＣと前記クロック信号の第２の位相中のＶＣＣ
にほぼ等しい請求項１７記載の電荷ポンプ。
【請求項１９】
第１の電荷ポンプ段と複数の後続する電荷ポンプ段を有する電荷ポンプにおいて、個々
の後続する電荷ポンプ段は、
誘電体層を有する少なくとも１つのコンデンサであって、前記コンデンサは、前記誘電
体層の両端にわたる電圧が前記電荷ポンプの入力電圧を上回らないように構成される少な
くとも１つのコンデンサを備える電荷ポンプ。
【請求項２０】
前記誘電体層は、個々の電荷ポンプ段の電圧出力未満であるブレークダウン電圧を有す
る請求項１９記載の電荷ポンプ。
【請求項２１】
電荷ポンプにおいて、
複数の電荷ポンプ段であって、少なくとも２つの段は、入力電圧と電源電圧との和であ
る出力電圧を個々に発生させる追加段である複数の電荷ポンプ段と、
入力電圧の２倍である出力電圧を発生させる倍電圧器段である少なくとも１つの段と、
を有する電荷ポンプ。